(57)【特許請求の範囲】
【請求項１】
チャネルと圧電素子からなる駆動壁とが交互に配置されたチャネル列を有し、前面及び後面にそれぞれ前記チャネルの開口部が配置され、前記チャネル内に臨む前記駆動壁に駆動電極が形成されると共に、前記チャネル列がインク吐出を行う駆動チャネルとインク吐出を行わないダミーチャネルとが交互に配置されて構成されてなるヘッドチップと、
前記ヘッドチップの後面に接合され、前記ヘッドチップの前記各駆動電極を該ヘッドチップの側方に電気的に引き出す駆動チャネル用配線電極及びダミーチャネル用配線電極を有する配線基板と、
前記配線基板の端部に接合され、駆動回路からの駆動信号を前記配線基板の前記駆動チャネル用配線電極及び前記ダミーチャネル用配線電極を介して前記ヘッドチップの前記各駆動電極に印加するための電気配線部材とを有するインクジェットヘッドであって、
前記電気配線部材は、一面に前記配線基板の前記駆動チャネル用配線電極と電気的接続される個別電極がそれぞれ形成されていると共に、他面に複数の前記ダミーチャネル用配線電極に共通に電気的接続される共通電極が形成されており、
前記共通電極は、前記ダミーチャネル用配線電極よりも広幅に形成されていると共に、前記電気配線部材を貫通して、前記配線基板の前記ダミーチャネル用配線電極と電気的接続されていて、
前記駆動信号を印加したときの前記共通電極の電流密度が、前記ダミーチャネル用配線電極の電流密度よりも小さいことを特徴とするインクジェットヘッド。
【請求項２】
前記配線基板は、ガラス、シリコン、セラミックスのいずれかの基板からなることを特徴とする請求項１記載のインクジェットヘッド。
【請求項３】
前記電気配線部材は、フレキシブルプリント基板であることを特徴とする請求項１又は２記載のインクジェットヘッド。
【請求項４】
チャネルと圧電素子からなる駆動壁とが交互に配置されたチャネル列を有し、前面及び後面にそれぞれ前記チャネルの開口部が配置され、前記チャネル内に臨む前記駆動壁に駆動電極が形成されると共に、前記チャネル列がインク吐出を行う駆動チャネルとインク吐出を行わないダミーチャネルとが交互に配置されて構成されてなるヘッドチップと、
前記ヘッドチップの後面に接合され、前記ヘッドチップの前記各駆動電極を該ヘッドチップの側方に電気的に引き出す駆動チャネル用配線電極及びダミーチャネル用配線電極を有する配線基板と、
前記配線基板の端部に接合され、駆動回路からの駆動信号を前記配線基板の前記駆動チャネル用配線電極及び前記ダミーチャネル用配線電極を介して前記ヘッドチップの前記各駆動電極に印加するための電気配線部材とを有するインクジェットヘッドであって、
前記配線基板は、複数の前記ダミーチャネル用配線電極に共通に電気的接続されると共に該配線基板に埋設された埋込み電極によって形成された共通電極を有しており、
前記電気配線部材は、前記共通電極を介して前記ダミーチャネル用配線電極と電気的接続されていて、
前記駆動信号を印加したときの前記共通電極の電流密度が、前記ダミーチャネル用配線電極の電流密度よりも小さいことを特徴とするインクジェットヘッド。
【請求項５】
前記配線基板の前記駆動チャネル用配線電極と前記共通電極は、該配線基板の表裏両面に分かれて形成されていることを特徴とする請求項４記載のインクジェットヘッド。
【請求項６】
前記配線基板は、ガラス、シリコン、セラミックスのいずれかの基板からなることを特徴とする請求項４又は５記載のインクジェットヘッド。
【発明の詳細な説明】
【技術分野】
【０００１】
本発明はインクジェットヘッドに関し、詳しくは、インク吐出を行わないダミーチャネル内の駆動電極と共通に導通する共通電極の電流密度を小さくすることができるインクジェットヘッドに関する。
【背景技術】
【０００２】
チャネルを区画する駆動壁に形成された駆動電極に所定電圧の駆動信号を印加することにより駆動壁を変形させ、そのとき発生する圧力を利用してチャネル内のインクをノズルから吐出させるようにしたインクジェットヘッドとして、前面及び後面にそれぞれチャネルの開口部が配置されたいわゆるハーモニカ型のヘッドチップを有するものが知られている。その中でも、チャネル列内の各チャネルをインク吐出を行う駆動チャネルとインク吐出を行わないダミーチャネルとに分け、これらを交互に配置することによってチャネル列を構成した独立駆動タイプのヘッドチップを有するインクジェットヘッドがある。駆動チャネルとダミーチャネルとを交互に配置することにより、全ての駆動チャネルから同時にインクを吐出することが可能である。
【０００３】
独立駆動タイプのヘッドチップを有するインクジェットヘッドでは、各ダミーチャネル内の駆動電極は共通に接地又は共通の駆動信号を印加することができるため、従来では、同一チャネル列内の各ダミーチャネルの駆動電極を、ヘッドチップのチャネルが開口する面上で、１本の電極（共通電極）にまとめることで、駆動ＩＣの数を低減させると共に、駆動回路との電気的接続の簡略化を図っている（特許文献１の図１５、特許文献２、特許文献３の図２、図３）。
【０００４】
また、１枚の電気配線部材に駆動チャネルの駆動電極と導通する個別の電極と、ダミーチャネルの駆動電極と導通する１本の共通電極とを形成し、この電気配線部材をヘッドチップに接合することで、ヘッドチップ側に共通電極を形成することなく、電気配線部材側でダミーチャネルの各駆動電極を共通電極化する技術も知られている（特許文献３の図９、図１５）。
【先行技術文献】
【特許文献】
【０００５】
【特許文献１】特開２００９−２７４３２７号公報
【特許文献２】特開２００８−１４３１６７号公報
【特許文献３】特開平８−１９７７２８号公報
【発明の概要】
【発明が解決しようとする課題】
【０００６】
近年、インクジェットヘッドは更なるコンパクト化、高密度化が要望されるようになり、ヘッドチップはより一層の小型化、薄型化が要請されている。このため、特許文献１の図１５や特許文献２に記載のように、ヘッドチップの面上にチャネル列と平行に延びる共通電極を形成する場合、そのスペースは限られ、極めて細幅の共通電極しか形成することができなくなってきている。特に、複数のチャネル列を有するヘッドチップの場合、チャネル列間のスペースは極めて狭小となり、この間に広幅の共通電極を形成することは困難である。
【０００７】
共通電極の電極幅が小さい場合、そこを流れる電流密度が大きくなってしまい、過剰な電流が流れて、駆動チャネルから吐出される液滴速度が遅くなる等、射出特性に影響が出てしまう。特に、駆動電極に印加する駆動信号としてパルス信号を使用する場合、瞬間的に流れる電流量が非常に大きくなる性質があり、電流密度の増大化は大きな問題となる。
【０００８】
ヘッドチップの面上において、共通電極の電極幅を大きくせずに電流密度を下げる方法として、共通電極の厚みを厚くする方法が考えられるが、例えばヘッドチップに使用される電極金属として一般的なアルミニウムの場合、通常は表面から５μｍ程度の厚みで形成される。これを更に厚く、例えば１０μｍ以上に形成することは困難であり、ヘッドチップの面上に形成する共通電極の厚みを制御することによって電流密度を低下させることは現実的な方法ではない。
【０００９】
一方、特許文献３の図９、図１５のように、ヘッドチップに対して接合される電気配線部材側で共通電極化を行えば、ヘッドチップの狭小なスペースに左右されずに広幅の共通電極を形成することが可能であると考えられる。
【００１０】
しかしながら、電気配線部材の表面に、ダミーチャネル用の共通電極と駆動チャネル用の多数の個別電極とが互いに短絡しないように区別して配線しながら共通電極だけ広幅に形成することは、電気配線部材の大型化、広幅化を招く結果となり、この電気配線部材を含めたインクジェットヘッドの小型化の要請を満足させることが困難となる。
【００１１】
例えば、特許文献３の図９、図１５に開示の方法では、駆動チャネル用の複数の個別電極とダミーチャネル用の１本の共通電極とを、チャネル列を間に挟んで反対方向に引き出すことで、相互間の短絡を防止するように配線している。この場合、電気配線部材は、ヘッドチップのチャネル列を挟んで互いに反対方向に電極を引き出さなくてはならないため、共通電極を広幅に形成すると、共通電極が配線された側の電気配線部材の張り出し量が大きくなってしまい、それだけ電気配線部材は大型化してしまう。
【００１２】
そこで、本発明は、インクジェットヘッドの大型化を招くことなく、電流密度の小さな共通電極を容易に形成することができる独立駆動型のインクジェットヘッドを提供することを課題とする。
【００１３】
本発明の他の課題は、以下の記載により明らかとなる。
【課題を解決するための手段】
【００１４】
上記課題は、以下の各発明によって解決される。
【００１５】
請求項１記載の発明は、チャネルと圧電素子からなる駆動壁とが交互に配置されたチャネル列を有し、前面及び後面にそれぞれ前記チャネルの開口部が配置され、前記チャネル内に臨む前記駆動壁に駆動電極が形成されると共に、前記チャネル列がインク吐出を行う駆動チャネルとインク吐出を行わないダミーチャネルとが交互に配置されて構成されてなるヘッドチップと、
前記ヘッドチップの後面に接合され、前記ヘッドチップの前記各駆動電極を該ヘッドチップの側方に電気的に引き出す駆動チャネル用配線電極及びダミーチャネル用配線電極を有する配線基板と、
前記配線基板の端部に接合され、駆動回路からの駆動信号を前記配線基板の前記駆動チャネル用配線電極及び前記ダミーチャネル用配線電極を介して前記ヘッドチップの前記各駆動電極に印加するための電気配線部材とを有するインクジェットヘッドであって、
前記電気配線部材は、一面に前記配線基板の前記駆動チャネル用配線電極と電気的接続される個別電極がそれぞれ形成されていると共に、他面に複数の前記ダミーチャネル用配線電極に共通に電気的接続される共通電極が形成されており、
前記共通電極は、前記ダミーチャネル用配線電極よりも広幅に形成されていると共に、前記電気配線部材を貫通して、前記配線基板の前記ダミーチャネル用配線電極と電気的接続されていて、
前記駆動信号を印加したときの前記共通電極の電流密度が、前記ダミーチャネル用配線電極の電流密度よりも小さいことを特徴とするインクジェットヘッドである。
【００１６】
請求項２記載の発明は、前記配線基板は、ガラス、シリコン、セラミックスのいずれかの基板からなることを特徴とする請求項１記載のインクジェットヘッドである。
【００１７】
請求項３記載の発明は、前記電気配線部材は、フレキシブルプリント基板であることを特徴とする請求項１又は２記載のインクジェットヘッドである。
【００１８】
請求項４記載の発明は、チャネルと圧電素子からなる駆動壁とが交互に配置されたチャネル列を有し、前面及び後面にそれぞれ前記チャネルの開口部が配置され、前記チャネル内に臨む前記駆動壁に駆動電極が形成されると共に、前記チャネル列がインク吐出を行う駆動チャネルとインク吐出を行わないダミーチャネルとが交互に配置されて構成されてなるヘッドチップと、
前記ヘッドチップの後面に接合され、前記ヘッドチップの前記各駆動電極を該ヘッドチップの側方に電気的に引き出す駆動チャネル用配線電極及びダミーチャネル用配線電極を有する配線基板と、
前記配線基板の端部に接合され、駆動回路からの駆動信号を前記配線基板の前記駆動チャネル用配線電極及び前記ダミーチャネル用配線電極を介して前記ヘッドチップの前記各駆動電極に印加するための電気配線部材とを有するインクジェットヘッドであって、
前記配線基板は、複数の前記ダミーチャネル用配線電極に共通に電気的接続されると共に該配線基板に埋設された埋込み電極によって形成された共通電極を有しており、
前記電気配線部材は、前記共通電極を介して前記ダミーチャネル用配線電極と電気的接続されていて、
前記駆動信号を印加したときの前記共通電極の電流密度が、前記ダミーチャネル用配線電極の電流密度よりも小さいことを特徴とするインクジェットヘッドである。
【００１９】
請求項５記載の発明は、前記配線基板の前記駆動チャネル用配線電極と前記共通電極は、該配線基板の表裏両面に分かれて形成されていることを特徴とする請求項４記載のインクジェットヘッドである。
【００２０】
請求項６記載の発明は、前記配線基板は、ガラス、シリコン、セラミックスのいずれかの基板からなることを特徴とする請求項４又は５記載のインクジェットヘッドである。
【発明の効果】
【００２１】
本発明によれば、インクジェットヘッドの大型化を招くことなく、電流密度の小さな共通電極を容易に形成することができる独立駆動型のインクジェットヘッドを提供することができる。
【図面の簡単な説明】
【００２２】
【図１】本発明の第１の実施形態に係るインクジェットヘッドの分解斜視図
【図２】第１の実施形態に係るヘッドチップの背面図
【図３】本発明の第２の実施形態に係るインクジェットヘッドの分解斜視図
【図４】第２の実施形態に係るヘッドチップの背面図
【図５】第２の実施形態に係る配線基板の平面図
【図６】第２の実施形態に係るインクジェットヘッドの断面図であり、（ａ）は図４、図５の(i)−(i)線に沿う断面図、（ｂ）は図４、図５の(ii)−(ii)線に沿う断面図
【図７】本発明の第３の実施形態に係るインクジェットヘッドの分解斜視図
【図８】第３の実施形態に係る配線基板の平面図
【図９】第３の実施形態に係るインクジェットヘッドの断面図であり、（ａ）は図８の(iii)−(iii)線に沿う断面図、（ｂ）は図８の(iv)−(iv)線に沿う断面図
【発明を実施するための形態】
【００２３】
本発明におけるヘッドチップは、チャネルと圧電素子からなる駆動壁とが交互に配置されてなるチャネル列を有している。ヘッドチップは、前面及び後面にそれぞれチャネルの開口部が対向して配置される。各チャネルは、後面の開口部（チャネルの入口）から前面の開口部（チャネルの出口）にかけて断面形状が変化しないストレート状に形成され、各チャネル内に臨む駆動壁の表面には駆動電極が形成される。このようなヘッドチップは、六面体からなるいわゆるハーモニカ型のヘッドチップであり、駆動壁両面の各駆動電極に、駆動回路から送られる所定電圧の駆動信号を電気配線部材を介して印加することによって駆動壁をせん断変形させ、チャネル内に供給されたインクに吐出のための圧力変化を与え、ヘッドチップの前面に配置されたノズルからインク滴として吐出させる。
【００２４】
本発明では、このような六面体のハーモニカ型のヘッドチップにおいて、ノズルが配置されてインクが吐出される側の面を「前面」、その反対側の面を「後面」と定義する。また、ヘッドチップの前面又は後面と平行な方向であって該ヘッドチップから離れる方向をヘッドチップの「側方」と定義する。
【００２５】
本発明におけるチャネル列は、駆動チャネルとダミーチャネルとが交互に配置される独立駆動型のヘッドチップである。ヘッドチップの後面には、駆動チャネル内の駆動電極と導通する駆動チャネル用接続電極及びダミーチャネル内の駆動電極と導通するダミーチャネル用接続電極がそれぞれ個別に形成され、対応する駆動チャネル又はダミーチャネルと同ピッチでヘッドチップの後面に配列されている。
【００２６】
駆動チャネルとは、画像記録時に画像データに応じてノズルからインク吐出を行うチャネルであり、ダミーチャネルとは、画像データに関わらず、常にインク吐出を行わないチャネルである。ダミーチャネルはインク吐出を行う必要がないため、一般にインクが充填されないか、ノズルプレートにダミーチャネルに対応するノズルが形成されない。
【００２７】
配線基板は、ヘッドチップと電気配線部材との間を中継する中間配線部材であり、駆動回路とつながる電気配線部材とヘッドチップとの間の接続を容易化するべく、ヘッドチップの後面から特にチャネル列と直交する側方に張り出す大きさを有しており、ヘッドチップの後面に接合されることによって各駆動電極をそれに対応する各接続電極を介してヘッドチップの側方に電気的に引き出す。
【００２８】
配線基板におけるヘッドチップの後面と接合される側の面には、ヘッドチップの駆動チャネル用接続電極の各々と電気的接続される駆動チャネル用配線電極と、ダミーチャネル用接続電極の各々と電気的接続されるダミーチャネル用配線電極とを有している。各配線電極は、その一端が、それぞれ対応する接続電極と電気的接続され、他端が、ヘッドチップの側方に張り出した配線基板の同一端部まで延びており、該端部に配列されている。電気配線部材は、この配線基板の端部においてＡＣＦ（異方性導電性フィルム）等を用いて接合される。
【００２９】
電気配線部材は、ヘッドチップと駆動回路との間を電気的に中継する部材であり、好ましくは基板材料がポリイミド等の樹脂フィルムからなるフレキシブルプリント基板（以下、ＦＰＣという。）が用いられる。本発明の一つの態様では、この電気配線部材の一面に、配線基板に形成された駆動チャネル用配線電極の各々と電気的接続される個別電極がそれぞれ形成され、他面に、複数のダミーチャネル用配線電極に共通に電気的接続される共通電極が形成される。
【００３０】
共通電極は、ダミーチャネル用配線電極よりも広幅に形成される。共通電極は個別電極とは反対側の面に形成されるため、個別電極の配線の影響を受けず、また、電気配線部材の大型化を招くことなく、ダミーチャネル用配線電極よりも十分に広幅とすることで電流密度の小さな共通電極とすることができる。このため、インクジェットヘッドの大型化を招くことなく、電流密度の小さな共通電極を容易に形成することができる。
【００３１】
共通電極は、電気配線部材を貫通する貫通電極によって、個別電極と同一面に引き出されており、該個別電極と駆動チャネル用配線電極とが電気的接続される側と同一面側で、ダミーチャネル用配線電極と電気的接続される。
【００３２】
このような電気配線部材は、ヘッドチップとの間に配線基板を介して接合することで、電気配線部材の接合作業が容易化でき、また、電気配線部材がインクと直に触れることがない。
【００３３】
本発明の他の態様では、ヘッドチップの後面に接合される配線基板に共通電極が形成される。この場合の配線基板におけるヘッドチップの後面と接合される側の面には、ヘッドチップの駆動チャネル用接続電極の各々と電気的接続される駆動チャネル用配線電極と、ダミーチャネル用接続電極に共通に電気的接続される共通電極が形成される。
【００３４】
この共通電極は、配線基板に埋設された埋込み電極によって形成される。埋込み電極は、配線基板の表面から凹設された溝の内部を埋めるように該溝内に電極金属を充填することによって、電極幅（溝の幅）を広くしなくても厚みの厚い共通電極を形成できる。この場合の金属電極は例えば導電性ペーストによって形成することができる。また、溝内にアルミ線、銅線、金線等の金属線を埋め込むことによって形成してもよい。共通電極をこのような埋込み電極とすることで、幅広に形成しなくても配線基板表面に電流密度の小さな共通電極を形成することができるので、配線基板が無駄に大きくなることはなく、インクジェットヘッドの大型化が抑制できる。
【００３５】
溝は、配線基板にヘッドチップのチャネル列と平行となるように形成される。溝の断面形状は、矩形状、Ｖ字状、Ｕ字状等、特に問わない。溝の幅は５０μｍ〜１ｍｍ、深さは３０μｍ〜５００μが好ましい。配線基板は、この溝の深さ以上の厚みを有する。
【００３６】
配線基板に設けられる駆動チャネル用配線電極と共通電極とは、配線基板の表裏両面にそれぞれ分けて形成してもよい。この場合、配線基板の一方の面のみで駆動チャネル用配線電極及び共通電極と電気配線部材との間の電気的接続を行うことができるようにするため、共通電極は配線基板を貫通する貫通電極によって、駆動チャネル用配線電極と同一面に電気配線部材との電気的接続を行うための接続部を引き出し形成しておくことが好ましい。
【００３７】
本発明に用いられる配線基板は、ガラス、シリコン、セラミックスのいずれかの基板からなることが好ましい。これらはいずれも耐インク性に優れるため、使用されるインク種を問わない。
【００３８】
本発明においてヘッドチップのチャネル列数は問わず、１列でも複数列でもよい。複数のチャネル列を有する場合、共通電極は各チャネル列に１対１に対応して電気配線部材又は配線基板に設けることができる。
【００３９】
以下、本発明の実施の形態について図面を用いて説明する。
【００４０】
図１は本発明の第１の実施形態に係るインクジェットヘッドの分解斜視図、図２はそのヘッドチップの背面図である。
【００４１】
図中、１はハーモニカ型のヘッドチップ、２はノズルプレート、３は配線基板、４はＦＰＣである。
【００４２】
ヘッドチップ１は、圧電素子からなる駆動壁１１とチャネル１２とが交互に配置されることにより構成されたチャネル列が２列平行に形成されている。ここでは、図２中の下側のチャネル列をＡ列、上側のチャネル列をＢ列とする。各チャネル列を構成するチャネル１２は、インク吐出を行う駆動チャネル１２１とインク吐出を行わないダミーチャネル１２２とが交互となるように配置されている（図２）。
【００４３】
各チャネル１２（１２１、１２２）は、ヘッドチップ１の前面１ａと後面１ｂとにそれぞれ開口しており、その内面には駆動電極１３がそれぞれ密着形成されている。
【００４４】
ヘッドチップ１の後面１ｂには、一端が駆動チャネル１２１内の駆動電極１３と導通する駆動チャネル用接続電極１４１と、一端がダミーチャネル１２２内の駆動電極１３と導通するダミーチャネル用接続電極１４２とが形成されている。各接続電極１４１、１４２の他端は、Ａ列ではヘッドチップ１の後面１ｂにおけるチャネル列と平行な一方の端縁１ｃまで延び、該端縁１ｃに各チャネル１２１、１２２と同ピッチで配列され、Ｂ列ではＡ列の手前まで延び、Ｂ列とＡ列との間において各チャネル１２１、１２２と同ピッチで配列されている。
【００４５】
ノズルプレート２は、ヘッドチップ１の前面１ａに接合されている。ノズルプレート２には、Ａ列及びＢ列の各駆動チャネル１２１に対応する位置にのみノズル２１が開設されている。
【００４６】
配線基板３は、ヘッドチップ１の後面１ｂに接着剤によって接合されている。配線基板３は、ヘッドチップ１の後面１ｂよりも大判な平板状の基板であり、該後面１ｂと接合する接合領域（図１中の一点鎖線で示される領域）３１内には、ヘッドチップ１の後面１ｂに開口するＡ列及びＢ列の各駆動チャネル１２１に対応する位置のみに、配線基板３の背面側に設けられる不図示の共通インク室から各駆動チャネル１２１内にインクを供給するためのインク供給口３２が個別に開設されている。従って、ヘッドチップ１のＡ列及びＢ列の各ダミーチャネル１２２の入口側は配線基板３によって閉塞され、共通インク室からインクが供給されないようになっている。
【００４７】
配線基板３におけるヘッドチップ１の後面１ｂと接合される側の面（以下、表面という。）には、ヘッドチップ１の後面１ｂに配列されているＡ列及びＢ列の各駆動チャネル用接続電極１４１と電気的接続される駆動チャネル用配線電極３３が、配線基板３の表面上においてヘッドチップ１のチャネル列と直交する方向に延びるように、蒸着又はスパッタリング等によって形成されている。各駆動チャネル用配線電極３３の一端は、ヘッドチップ１のＡ列又はＢ列の各駆動チャネル用接続電極１４１と接するべく、接合領域３１内の各インク供給口３２の近傍に位置し、他端は、該接合領域３１からヘッドチップ１のチャネル列と直交する側方に張り出した配線基板３の端部３ａまで延び、該端部３ａにおいて配列されている。
【００４８】
また、同じく配線基板３には、ヘッドチップ１の後面１ｂに配列されているＡ列及びＢ列の各ダミーチャネル用接続電極１４２と電気的接続されるダミーチャネル用配線電極３４が、配線基板３の表面上においてヘッドチップ１のチャネル列と直交する方向に延びるように、蒸着又はスパッタリング等によって形成されている。各ダミーチャネル用配線電極３４の一端は、ヘッドチップ１のＡ列又はＢ列の各ダミーチャネル用接続電極１４２と接するべく、接合領域３１内のダミーチャネル１２２に対応する領域の近傍に位置し、他端は、該接合領域３１からヘッドチップ１のチャネル列と直交する側方に張り出した配線基板３の端部３ａまで延び、該端部３ａにおいて配列されている。
【００４９】
ＦＰＣ４は配線基板３の表面側の端部３ａに接合される。このＦＰＣ４には、一面に、配線基板３のＡ列及びＢ列の各駆動チャネル用配線電極３３に対応するピッチで、該駆動チャネル用配線電極３３と電気的接続される個別電極４１を有していると共に、その反対面に共通電極４２Ａ、４２Ｂが形成されている。
【００５０】
共通電極４２Ａ、４２Ｂは、ヘッドチップ１のチャネル列方向に沿うＦＰＣ４の幅方向に延びるよう形成されている。共通電極４２Ａは、Ａ列のダミーチャネル１２２内の各駆動電極１３に対して共通に電気的接続される電極であり、共通電極４２Ｂは、Ｂ列のダミーチャネル１２２内の各駆動電極１３に対して共通に電気的接続される電極である。共通電極４２Ａ、４２ＢにおけるＦＰＣ４の幅方向の一端はヘッドチップ１と反対側に向けて屈曲する配線部４２１Ａ、４２１Ｂとなっており、ＦＰＣ４の長さ方向に沿って図示しない駆動回路に向けて配線され、各個別電極４１と共に該駆動回路に電気的に接続されている。
【００５１】
ＦＰＣ４の個別電極４１と同一面には、配線基板３のＡ列及びＢ列の各ダミーチャネル用配線電極３４に対応するピッチで、共通電極４２Ａ、４２ＢをそれぞれＡ列又はＢ列の各ダミーチャネル用配線電極３４と共通に電気的接続させるための接続電極部４２２Ａ、４２２Ｂを有しており、配線基板３の各駆動チャネル用配線電極３３及び各ダミーチャネル用配線電極３４と同ピッチでＦＰＣ４の一端に配列されている。
【００５２】
一方の接続電極部４２２Ａは、その裏面に形成されている共通電極４２Ａと、ＦＰＣ４を貫通する貫通電極４２３Ａによって導通しており、他方の接続電極部４２２Ｂは、その裏面に形成されている共通電極４２Ｂと、ＦＰＣ４を貫通する貫通電極４２３Ｂによって導通している。
【００５３】
各共通電極４２Ａ、４２Ｂは、個別電極４１とは反対面に形成されるので、個別電極４１の配線に影響されることがない。このため、各共通電極４２Ａ、４２Ｂは、ＦＰＣ４の片面の広い面積を利用して、該ＦＰＣ４を大型化（広幅化）する必要なく、その幅Ｗをダミーチャネル用配線電極３４よりも十分に広幅に形成することができ、電流密度を十分に小さくすることが可能である。
【００５４】
また、一般に、チャネル列数やチャネル数が多列、多数に及ぶ高密度ヘッドの場合、電極ピッチも極めて高密度とならざるを得ず、使用するＦＰＣも電極の厚みが薄い高密度用のものを使用する必要があるが、本発明によれば、個別電極４１は高密度用に薄くし、共通電極４２Ａ、４２Ｂはチャネル列数だけでよいため、低密度用に厚くすることができ、電流密度の低下を一層容易化できる利点がある。
【００５５】
なお、各配線部４２１Ａ、４２１Ｂは、更に貫通電極によって再度個別電極４１と同一面に引き出すことにより、個別電極４１と各共通電極４２Ａ、４２ＢとをＦＰＣ４の同一面において駆動回路と電気的接続されるようにしてもよい。
【００５６】
また、ＦＰＣ４の表裏両面に個別電極と共通電極とを分けて形成する態様は、１列のチャネル列を有するヘッドチップにも適用でき、また、３列以上のチャネル列を有するヘッドチップにも適用できる。チャネル列数が４列以上となる場合、配線基板３の両端部を利用してそれぞれＦＰＣ４を接合すればよい。
【００５７】
図３は本発明の第２の実施形態に係るインクジェットヘッドの分解斜視図、図４はそのヘッドチップの背面図、図５はその配線基板の平面図、図６はそのインクジェットヘッドの断面図であり、（ａ）は図４、図５の(i)-(i)線に沿う断面図、（ｂ）は図４、図５の(ii)-(ii)線に沿う断面図である。図１、図２と同一符号の部位は同一構成の部位であるため詳細な説明は省略する。
【００５８】
ここでは、ヘッドチップ１は１列のチャネル列を有している。
【００５９】
配線基板５は、ヘッドチップ１の後面１ｂに接着剤１００（図６参照）によって接合されている。配線基板５は、ヘッドチップ１の後面１ｂよりも大判な平板状の基板であり、ヘッドチップ１の後面１ｂと接合する接合領域５１内には、ヘッドチップ１の後面１ｂに開口する駆動チャネル１２１に対応する位置のみに、配線基板５の背面側に設けられる不図示の共通インク室から駆動チャネル１２１内にインクを供給するためのインク供給口５２が個別に開設されている。従って、ヘッドチップ１のダミーチャネル１２２の入口側は配線基板５によって閉塞され、共通インク室からインクが供給されないようになっている。
【００６０】
配線基板５の表面には、ヘッドチップ１の後面１ｂに配列されている駆動チャネル用接続電極１４１と電気的接続される駆動チャネル用配線電極５３が、配線基板５の表面においてヘッドチップ１のチャネル列と直交する方向に延びるように、蒸着又はスパッタリング等によって形成されている。各駆動チャネル用配線電極５３の一端は、ヘッドチップ１の接続電極１４１と接するべく、接合領域５１内の各インク供給口５２の近傍に位置し、他端は、該接合領域５１からヘッドチップ１のチャネル列と直交する側方にはみ出して配列されている。
【００６１】
また、同じく配線基板５の表面には、ヘッドチップ１の後面１ｂに配列されているダミーチャネル用接続電極１４２と電気的接続されるダミーチャネル用配線電極５４が、配線基板５の表面においてヘッドチップ１のチャネル列と直交する方向に延びるように、蒸着又はスパッタリング等によって形成されている。各ダミーチャネル用配線電極５４の一端は、ヘッドチップ１の接続電極１４１と接するべく、接合領域５１内のダミーチャネル１２２に対応する部位に位置し、他端は、該接合領域５１からヘッドチップ１のチャネル列と直交する側方にはみ出し、１本の共通電極５５と全て導通している。
【００６２】
共通電極５５は、配線基板５の表面において、駆動チャネル用配線電極５３の他端よりも接合領域５１から遠い側に、各駆動チャネル用配線電極５３と短絡しないように、ヘッドチップ１のチャネル列と平行な方向に延び、配線基板５の幅一杯に亘って形成されている。ここではヘッドチップ１のチャネル列が１列であるため、１本の共通電極５５のみが形成されている。
【００６３】
この共通電極５５は、各配線電極５３、５４を形成する前に、予め配線基板３５表面から凹設された溝５６内に、配線基板５の表面が面一状となるように埋設された埋込み電極によって形成されている。溝５６は、基板材料がガラスの場合、サンドブラストによって形成することができる。また、基板材料がシリコンの場合、異方性エッチングによって形成することができる。更に、基板材料がセラミックスの場合、ダイシングソーによって溝を切削加工することで形成することができる。
【００６４】
共通電極５５は、このように溝５６内に埋設されるため、配線基板５の表面に露呈する領域は細幅状であっても、配線基板５の深さ方向に厚みを有するため電流密度は小さくできる。従って、共通電極５５の形成領域は小さくて済み、それだけ配線基板５のヘッドチップ１の側方への張り出し量を抑えることができ、インクジェットヘッドの小型化を図ることができる。
【００６５】
なお、図３、図５における符号５５１は、配線基板５の表面において、共通電極５５の一端部と導通するように形成された接続部であり、各配線電極５３、５４と同時に蒸着やスパッタリング等によって形成される。ＦＰＣ６は、該ＦＰＣ６に配線された電極によって、駆動チャネル用配線電極５３と電気的接続されると共に、共通電極５５の接続部５５１において電気的接続され、各駆動電極１３に不図示の駆動回路からの駆動信号を印加する。
【００６６】
この配線基板５の表面の一端に接合されるＦＰＣ６は、各駆動チャネル用配線電極５３と電気的に接続されるＦＰＣ６側に配線されている電極が共通電極５５を跨ぐ形になるが、共通電極５５は配線基板５の表面と面一状に形成しておけば、この配線基板５の表面から所定厚みで突出する駆動チャネル用配線電極５３及び接続部５５１に対してＦＰＣ６側の電極が電気的接続することで、このＦＰＣ６側の電極が共通電極５５と直に接触しにくくなる。この場合、ＦＰＣ６側の電極と共通電極５５との間の絶縁の確実性を図るため、共通電極５５の領域に対応するＦＰＣ６の部位のカバーレイフィルムを残しておくか、配線基板５側又はＦＰＣ６側の少なくともいずれかに、共通電極５５とＦＰＣ６側の駆動チャネル用配線電極５３と電気的接続されるべき電極との短絡を防止するパリレン膜等の絶縁保護膜を形成しておくことが好ましい。
【００６７】
図７は本発明の第３の実施形態に係るインクジェットヘッドの分解斜視図、図８はその配線基板の平面図、図９はそのインクジェットヘッドの断面図であり、（ａ）は図８の(iii)−(iii)線に沿う断面図、（ｂ）は図８の(iv)−(iv)線に沿う断面図である。図１、図２、図３〜図６と同一符号の部位は同一構成の部位であるため詳細な説明は省略する。
【００６８】
第２の実施形態では、駆動チャネル用配線電極と共通電極とを配線基板の表面に共に形成したが、第３の実施形態は、これらを配線基板の表裏両面に分けて形成した例である。
【００６９】
このインクジェットヘッドは、ヘッドチップ１が２列平行に並設されたチャネル列を有している例であり、ヘッドチップ１の構成は図１、図２に示したものと同一である。このため、配線基板５には、Ａ列とＢ列にそれぞれ対応して、駆動チャネル用配線電極５３Ａ、５３Ｂ、ダミーチャネル用配線電極５４Ａ、５４Ｂを有すると共に、同様に共通電極も、共通電極５５Ａ、５５Ｂの２本形成されている。
【００７０】
ここで、本実施形態に係る共通電極５５Ａ、５５Ｂは、配線基板５の裏面に、チャネル列毎に該チャネル列に沿って延びるように形成されている。いずれの共通電極５５Ａ、５５Ｂも、配線基板５の裏面から凹設された溝５６Ａ、５６Ｂの内部を埋めるように形成された埋込み電極である。
【００７１】
各共通電極５５Ａ、５５Ｂとヘッドチップ１の後面１ｂの各ダミーチャネル用接続電極１４２との電気的接続を行うため、配線基板５の表面の各ダミーチャネル用配線電極５４Ａ、５４Ｂは、その端部において裏面側の対応する共通電極５５Ａ、５５Ｂと貫通電極５７Ａ、５７Ｂによって導通している。
【００７２】
図７、図８中の符号５５１Ａは、配線基板５の表面において、共通電極５５Ａの一端部と貫通電極５８Ａを介して導通するように形成された接続部、５５１Ｂは、同じく配線基板５の表面において、共通電極５５Ｂの一端部と貫通電極５８Ｂを介して導通するように形成された接続部であり、いずれも各配線電極５３Ａ、５３Ｂ、５４Ａ、５４Ｂと同時に蒸着やスパッタリング等によって形成される。従って、ダミーチャネル１２２内の各駆動電極１３は、ヘッドチップ１の後面１ｂのダミーチャネル接続電極１４２、配線基板５の表面のダミーチャネル用配線電極５４Ａ、５４Ｂ、貫通電極５７Ａ、５７Ｂ、配線基板５の裏面の共通電極５５Ａ、５５Ｂ及び貫通電極５８Ａ、５８Ｂを介して、接続部５５１Ａ、５５１Ｂによって配線基板５の表面に駆動チャネル用配線電極５３Ａ、５３Ｂと共に配列される。
【００７３】
ＦＰＣ６は、配線基板５の表面の端部において、該ＦＰＣ６に配線された電極によって、各駆動チャネル用配線電極５３Ａ、５３Ｂと電気的接続されると共に、共通電極５５Ａ、５５Ｂの接続部５５１Ａ、５５１Ｂにおいて電気的接続され、各駆動電極１３に不図示の駆動回路からの駆動信号を印加する。
【００７４】
この第３の実施形態に係るインクジェットヘッドも、配線基板５上の各共通電極５５Ａ、５５Ｂが配線基板５の溝５６Ａ、５６Ｂ内に形成されるため、広幅に形成しなくても十分に電流密度を小さくすることができる。しかも、ＦＰＣ６は、配線基板５の表面に配列される各駆動チャネル用配線電極５３Ａ、５３Ｂと接続部５５１Ａ、５５１Ｂと電気的接続すればよく、共通電極を跨ぐ必要はないため、共通電極との短絡を心配する必要がない。
【００７５】
第３の実施形態において、ヘッドチップ１に形成されるチャネル列は２列に限らず、1列のチャネル列を有するヘッドチップにも適用でき、また、３列以上のチャネル列を有するヘッドチップにも適用できる。チャネル列数が４列以上となる場合、配線基板５の両端部を利用してそれぞれＦＰＣ６を接合すればよい。
【符号の説明】
【００７６】
１：ヘッドチップ
１ａ：前面
１ｂ：後面
１ｃ：端部
１１：駆動壁
１２：チャネル
１２１：駆動チャネル
１２２：ダミーチャネル
１３：駆動電極
１４１：駆動チャネル用接続電極
１４２：ダミーチャネル用接続電極
２：ノズルプレート
２１：ノズル
３：配線基板
３１：接合領域
３２：開口
３３：駆動チャネル用配線電極
３４：ダミーチャネル用配線電極
４：ＦＰＣ（電気配線部材）
４１：個別電極
４２Ａ、４２Ｂ：共通電極
４２１Ａ、４２１Ｂ：配線部
４２２Ａ、４２２Ｂ：接続電極部
４２３Ａ、４２３Ｂ：貫通電極
５：配線基板
５１：接合領域
５２：開口
５３、５３Ａ、５３Ｂ：駆動チャネル用配線電極
５４、５４Ａ、５４Ｂ：ダミーチャネル用配線電極
５５、５５Ａ、５５Ｂ：共通電極
５５１、５５１Ａ、５５１Ｂ：接続部
５６、５６Ａ、５６Ｂ：溝
５７Ａ、５７Ｂ：貫通電極
５８Ａ、５８Ｂ：貫通電極
６：ＦＰＣ（電気配線部材）
【図１】
0005447238.tif 000002
【図２】
0005447238.tif 000003
【図３】
0005447238.tif 000004
【図４】
0005447238.tif 000005
【図５】
0005447238.tif 000006
【図６】
0005447238.tif 000007
【図７】
0005447238.tif 000008
【図８】
0005447238.tif 000009
【図９】
0005447238.tif 000010